(57)【特許請求の範囲】
【請求項１】
液晶テレビの背面に装着され、前記液晶テレビを所定の角度で傾斜させた状態で支持するとともに、載置面に対してほぼ水平に延びる支持部と載置面に対して交差する方向に延びる２つの先端部とを有するパイプ状のスタンド部材と、前記スタンド部材の先端部が取り付けられる保持部材と、前記液晶テレビの背面に取り付けられ、前記保持部材が回動可能に取り付けられるベース部材とを備えた液晶テレビ用スタンドにおいて、
前記保持部材は、
前記スタンド部材の２つの先端部に取り付けられた矩形状のスライダと、
前記スタンド部材の先端部の延びる方向に実質的に平行な方向に前記スライダを移動可能に保持するスライダ受け部材と、
前記スライダ受け部材に取り付けられ、前記スライダの側面に表面が当接するように配置された凸状の板バネと、
少なくとも前記凸状の板バネの裏面に当接する部分に設けられたテーパ形状部と穴部とを有するとともに前記凸状の板バネを押圧するための押圧部材と、前記押圧部材の穴部に前記押圧部材と一体的に移動するように固定的に挿入され、前記凸状の板バネに対する前記押圧部材のテーパ形状部の高さを調節するねじ部材とを含み、前記凸状の板バネの前記スライダの側面に対する押圧力を調節するための押圧力調節部材とを備え、
前記スライダ受け部材は、前記押圧力調節部材のねじ部材を外部から調節可能にするための調節穴部を有する、液晶テレビ用スタンド。
【請求項２】
液晶表示装置の背面に装着され、前記液晶表示装置を所定の角度で傾斜させた状態で支持するとともに、支持部と先端部とを有するスタンド部材と、
前記スタンド部材の先端部が取り付けられる保持部材とを備え、
前記保持部材は、
前記スタンド部材の先端部に取り付けられたスライダと、
前記スライダを移動可能に保持するスライダ受け部材と、
前記スライダ受け部材に設けられ、前記スライダの側面に当接するように配置された凸状の板バネにより形成されている当接部材と、
前記スライダ受け部材に設けられ、前記スライダの側面に対して前記当接部材を押圧するとともに、前記スライダの側面に対する前記当接部材の押圧力を調節するための押圧力調節部材とを備えた、液晶表示装置用スタンド。
【請求項３】
前記押圧力調節部材は、少なくとも前記当接部材に当接する部分に設けられたテーパ形状部と穴部とを有するとともに前記スライダの側面に対して前記当接部材を押圧する押圧部材と、前記押圧部材の穴部に前記押圧部材と一体的に移動するように固定的に挿入され、前記当接部材に対する前記押圧部材のテーパ形状部の高さを調節するねじ部材とを含む、請求項２に記載の液晶表示装置用スタンド。
【請求項４】
前記スライダ受け部材は、前記ねじ部材を外部から調節可能にするための調節穴部を有する、請求項３に記載の液晶表示装置用スタンド。
【発明の詳細な説明】
【０００１】
【発明の属する技術分野】
この発明は、液晶テレビ用スタンドおよび液晶表示装置用スタンドに関し、特に、液晶テレビなどの液晶表示装置を所定の角度で傾斜させた状態で支持するスタンド部材を備えた液晶テレビ用スタンドおよび液晶表示装置用スタンドに関する。
【０００２】
【従来の技術】
従来、液晶表示装置などの物品を支持するためのスタンドが知られている（たとえば、特許文献１および特許文献２参照）。
【０００３】
上記特許文献１には、液晶ディスプレー部の背面に仰角調整スタンドが回動可能に取り付けられた構造が開示されている。また、上記特許文献２には、本体部に対して回動自在に取り付けられた歯車部と、この歯車部にかみ合うとともに本体部に対して摺動自在に取り付けられた摺動歯と、物品を立てる面に対して本体部を支持するための脚部とを備えることによって、歯車部の１ピッチ単位で物品の傾き角度の調節を可能にした物品を立てるためのスタンドが開示されている。
【０００４】
図１２は、特許文献２に開示された従来の角度調節機構を備えたスタンドを、液晶テレビ用スタンドとして用いた場合の概略側面図である。図１２を参照して、従来の液晶テレビ用スタンド１００は、液晶テレビ１５０の背面に取り付けられた取り付け部１１０と、取り付け部１１０に対して回動可能に取り付けられた保持部材（本体部）１２０と、保持部材（本体部）１２０に取り付けられたスタンド部材（脚部）１３０とを有している。液晶テレビ１５０を載置する場合、液晶テレビ１５０の背面に対して所定の角度分だけ保持部材（本体部）１２０を回動させるとともに、液晶テレビ１５０の下面と、液晶テレビ用スタンド１００のスタンド部材（脚部）１３０とを載置面に対して載置する。そして、液晶テレビ１５０の傾き角度を調節する際には、液晶テレビ１５０の背面に対する保持部材（本体部）１２０の開き角度を変化させる。すなわち、図１２に示すように、スタンド部材（脚部）１３０の載置位置を液晶テレビ１５０の載置位置Ａに対して、ＢからＣに変化させることにより、液晶テレビ１５０の傾きは、より傾いた状態に変化する。この場合、液晶テレビ１５０の載置位置Ａと、液晶テレビ用スタンド１００のスタンド部材（脚部）１３０の載置位置（ＢまたはＣ）との距離は変化する。
【０００５】
【特許文献１】
実開平４−３６３８２号公報
【特許文献２】
実用新案登録第３０６５５３０号公報
【０００６】
【発明が解決しようとする課題】
しかしながら、図１２に示した特許文献２に開示されたスタンドを用いた従来の液晶テレビ用スタンド１００では、液晶テレビ１５０の傾き角度を変化させるために、液晶テレビ１５０の載置位置Ａと、液晶テレビ用スタンド１００の載置位置（ＢまたはＣ）との間の距離が変化するので、液晶テレビ１５０をより傾かせた状態で載置するためには、より大きな設置スペースが必要であるという問題点がある。また、上記特許文献１に開示された角度調節機構を備えたスタンドにおいても、同様の問題点がある。
【０００７】
そこで、図１２に示した従来のスタンド部材の開き角度により液晶テレビ１５０の傾き角度を調節する機構に代えて、スタンド部材を伸縮させることにより、液晶テレビ１５０の傾き角度を調節する機構も考えられる。
【０００８】
図１３は、スタンド部材の伸縮機構を備えた液晶テレビ用スタンドの一例を示した概略側面図である。図１３を参照して、スタンド部材の伸縮機構を備えた液晶テレビ用スタンド１０１は、保持部材１２１とスタンド部材１３１とを有している。保持部材１２１は、液晶テレビ１５０の背面に所定の角度分開いた状態で取り付けられているとともに、スタンド部材１３１は、保持部材１２１に対して伸縮可能に取り付けられている。このスタンド部材の伸縮機構を備えた液晶テレビ用スタンド１０１では、液晶テレビ用スタンド１０１のスタンド部材１３１を保持部材１２１に対して伸縮させることによって、液晶テレビ１５０の傾き角度の調節が可能となる。この場合、液晶テレビ１５０の載置位置Ａと、液晶テレビ用スタンド１０１のスタンド部材１３１の載置位置Ｂとの距離は一定に保たれる。これにより、従来の角度調節機構を備えた液晶テレビ用スタンド１００と比較して、液晶テレビ１５０の載置位置とスタンド部材１３１の載置位置との間の距離を小さくすることができるので、その分、設置スペースを少なくすることが可能になると考えられる。
【０００９】
しかしながら、図１３に示したスタンド部材の伸縮機構を備えた液晶テレビ用スタンド１０１では、スタンド部材１３１は液晶テレビ１５０の自重を支持しているので、スタンド部材１３１は液晶テレビ１５０の自重によっては伸縮しない程度の移動抑制力（押圧力）により保持されている。この場合に、スタンド部材１３１に対する移動抑制力（押圧力）を一定にした状態で、液晶テレビ１５０のサイズを大きくすると、自重が増加するため、スタンド部材１３１が液晶テレビ１５０の自重により縮む方向に移動する場合があるという不都合が考えられる。したがって、スタンド部材１３１を伸縮させることにより液晶テレビ１５０の傾き角度を調節する構造では、自重の異なる複数のサイズの液晶テレビ１５０に共通して液晶テレビ用スタンド１０１を用いることが困難であると考えられる。
【００１０】
この発明は、上記のような課題を解決するためになされたものであり、この発明の１つの目的は、スタンド部材を伸縮させることにより傾き角度の調節を行うことができるとともに、自重の異なる複数のサイズの液晶テレビ（液晶表示装置）に共通して使用することが可能な液晶テレビ用スタンド（液晶表示装置用スタンド）を提供することである。
【００１１】
【課題を解決するための手段および発明の効果】
上記目的を達成するために、この発明の第１の局面における液晶テレビ用スタンドでは、液晶テレビの背面に装着され、液晶テレビを所定の角度で傾斜させた状態で支持するとともに、載置面に対してほぼ水平に延びる支持部と載置面に対して交差する方向に延びる２つの先端部とを有するパイプ状のスタンド部材と、スタンド部材の先端部が取り付けられる保持部材と、液晶テレビの背面に取り付けられ、保持部材が回動可能に取り付けられるベース部材とを備えた液晶テレビ用スタンドにおいて、保持部材は、スタンド部材の２つの先端部に取り付けられた矩形状のスライダと、スタンド部材の先端部の延びる方向に実質的に平行な方向にスライダを移動可能に保持するスライダ受け部材と、スライダ受け部材に取り付けられ、スライダの側面に表面が当接するように配置された凸状の板バネと、少なくとも凸状の板バネの裏面に当接する部分に設けられたテーパ形状部と穴部とを有するとともに凸状の板バネを押圧するための押圧部材と、押圧部材の穴部に押圧部材と一体的に移動するように固定的に挿入され、凸状の板バネに対する押圧部材のテーパ形状部の高さを調節するねじ部材とを含み、凸状の板バネのスライダの側面に対する押圧力を調節するための押圧力調節部材とを備え、スライダ受け部材は、押圧力調節部材のねじ部材を外部から調節可能にするための調節穴部を有する。
【００１２】
この発明の第１の局面における液晶テレビ用スタンドでは、上記のように、スライダ受け部材に、スライダの側面に当接するように配置された凸状の板バネと、スライダの側面に対して当接部材を押圧する押圧力調節部材とを設けることによって、液晶テレビの自重によりスライダが移動するのを抑制することができる。これにより、スライダに取り付けられたスタンド部材が液晶テレビの自重により移動するのを抑制することができるとともに、スタンド部材の角度調節をする際には、所定の移動力以上の力を加えることにより、凸状の板バネのスライダの側面に対する押圧力に抗してスライダを移動させることができる。これにより、スライダの側面が凸状の板バネに当接している範囲内でスタンド部材の保持部材に対する伸縮長さを調節することができるので、液晶テレビの傾きを所定の角度範囲で調節することができる。また、スタンド部材を伸縮させることにより、液晶テレビの傾き角度の調節を行うことができるので、載置面に対する液晶テレビの位置およびスタンド部材の支持部の位置を動かすことなく、液晶テレビの傾き角度を調節することができる。これにより、液晶テレビの傾き角度の調節をスタンド部材の液晶テレビに対する開き角度を調節することにより行う場合に比べて、液晶テレビの載置位置とスタンド部材の載置位置との間の距離を小さくすることができるので、その分、設置スペースを少なくすることができる。また、スライダの側面に当接する当接部材を凸状の板バネにより形成することによって、板バネの表面は滑らかであるので、スライダの移動を円滑に行うことができる。
【００１３】
また、第１の局面では、スライダの側面に対する凸状の板バネの押圧力を調節するための押圧力調節部材を設けることによって、液晶テレビのサイズが異なることに起因してスライダに連結されたスタンド部材に加わる荷重が変化した場合にも、押圧力調節部材により液晶テレビの自重によるスタンド部材の移動を抑制するのに必要な押圧力に適宜調節することができる。その結果、液晶テレビ用スタンドを複数のサイズの液晶テレビに共通して使用することができる。また、押圧力調節部材を、少なくとも凸状の板バネの裏面に当接する部分に設けられたテーパ形状部と穴部とを有するとともに凸状の板バネを押圧するための押圧部材と、押圧部材の穴部に押圧部材と一体的に移動するように固定的に挿入され、凸状の板バネに対する押圧部材のテーパ形状部の高さを調節するねじ部材とを含むように構成することによって、ねじ部材を締めた場合には、テーパ形状部の幅の大きい部分が凸状の板バネに当接されるとともに、ねじ部材を緩めた場合には、テーパ形状部の幅の小さい部分が凸状の板バネに当接される。これにより、ねじ部材を締めることによりスライダの側面に対する凸状の板バネの押圧力を大きくすることができるとともに、ねじ部材を緩めることによりスライダの側面に対する凸状の板バネの押圧力を小さくすることができる。その結果、容易に、スライダの側面に対する凸状の板バネの押圧力を調節することができる。
【００１４】
また、第１の局面では、スライダ受け部材に、押圧力調節部材のねじ部材を外部から調節可能にするための調節穴部を設けることによって、スライダの側面に対する凸状の板バネの押圧力の調節は、調節穴部を介して外部からねじ部材の締め付け量を調節することにより行うことができるので、液晶テレビ用スタンドを分解することなく押圧力の調節を行うことができる。これにより、液晶テレビ用スタンドを複数のサイズの液晶テレビに使用する際の押圧力の調節作業を簡略化することができる。
【００１５】
この発明の第２の局面における液晶表示装置用スタンドでは、液晶表示装置の背面に装着され、液晶表示装置を所定の角度で傾斜させた状態で支持するとともに、支持部と先端部とを有するスタンド部材と、スタンド部材の先端部が取り付けられる保持部材とを備え、保持部材は、スタンド部材の先端部に取り付けられたスライダと、スライダを移動可能に保持するスライダ受け部材と、スライダ受け部材に設けられ、スライダの側面に当接するように配置された凸状の板バネにより形成されている当接部材と、スライダ受け部材に設けられ、スライダの側面に対して当接部材を押圧するとともに、スライダの側面に対する当接部材の押圧力を調節するための押圧力調節部材とを備える。
【００１６】
この発明の第２の局面における液晶表示装置用スタンドでは、上記のように、スライダ受け部材に、スライダの側面に当接するように配置された当接部材と、スライダの側面に対して当接部材を押圧する押圧力調節部材とを設けることによって、液晶表示装置の自重によりスライダが移動するのを抑制することができる。これにより、スライダに取り付けられたスタンド部材が液晶表示装置の自重により移動するのを抑制することができるとともに、スタンド部材の角度調節をする際には、所定の移動力以上の力を加えることにより、当接部材のスライダの側面に対する押圧力に抗してスライダを移動させることができる。これにより、スライダの側面が当接部材に当接している範囲内でスタンド部材の保持部材に対する伸縮長さを調節することができるので、液晶表示装置の傾きを所定の角度範囲で調節することができる。また、スタンド部材を伸縮させることにより、液晶表示装置の傾き角度の調節を行うことができるので、載置面に対する液晶表示装置の位置およびスタンド部材の支持部の位置を動かすことなく、液晶表示装置の傾き角度を調節することができる。これにより、液晶表示装置の傾き角度の調節をスタンド部材の液晶表示装置に対する開き角度を調節することにより行う場合に比べて、液晶表示装置の載置位置とスタンド部材の載置位置との間の距離を小さくすることができるので、その分、設置スペースを少なくすることができる。また、スライダの側面に対する当接部材の押圧力を調節するための押圧力調節部材を設けることによって、液晶表示装置のサイズが異なることに起因してスライダに連結されたスタンド部材に加わる荷重が変化した場合にも、押圧力調節部材により液晶表示装置の自重によるスタンド部材の移動を抑制するのに必要な押圧力に適宜調節することができる。その結果、液晶表示装置用スタンドを複数のサイズの液晶表示装置に共通して使用することができる。
【００１７】
上記第２の局面による液晶表示装置用スタンドにおいて、当接部材は、凸状の板バネにより形成されている。このため、板バネの表面は滑らかであるので、スライダの移動を円滑に行うことができる。
【００１８】
上記第２の局面による液晶表示装置用スタンドにおいて、好ましくは、押圧力調節部材は、少なくとも当接部材に当接する部分に設けられたテーパ形状部と穴部とを有するとともにスライダの側面に対して当接部材を押圧する押圧部材と、押圧部材の穴部に押圧部材と一体的に移動するように固定的に挿入され、当接部材に対する押圧部材のテーパ形状部の高さを調節するねじ部材とを含む。このように構成すれば、ねじ部材を締めた場合には、テーパ形状部の幅の大きい部分が当接部材に当接されるとともに、ねじ部材を緩めた場合には、テーパ形状部の幅の小さい部分が当接部材に当接される。これにより、ねじ部材を締めることによりスライダの側面に対する当接部材の押圧力を大きくすることができるとともに、ねじ部材を緩めることによりスライダの側面に対する当接部材の押圧力を小さくすることができる。その結果、容易に、スライダの側面に対する当接部材の押圧力を調節することができる。
【００１９】
この場合、好ましくは、スライダ受け部材は、ねじ部材を外部から調節可能にするための調節穴部を有する。このように構成すれば、スライダの側面に対する当接部材の押圧力の調節は、調節穴部を介して外部からねじ部材の締め付け量を調節することにより行うことができるので、液晶表示装置用スタンドを分解することなく押圧力の調節を行うことができる。これにより、液晶表示装置用スタンドを複数のサイズの液晶表示装置に使用する際の押圧力の調節作業を簡略化することができる。
【００２０】
【発明の実施の形態】
以下、本発明の実施の形態を図面に基づいて説明する。
【００２１】
図１は、本発明の一実施形態による液晶テレビ用スタンドを備えた液晶テレビを示した背面図である。図２は、図１に示した液晶テレビを左側から見た側面図である。図３は、本発明の一実施形態による液晶テレビ用スタンドを示した斜視図である。図４は、図３に示した本発明の一実施形態による液晶テレビ用スタンドの分解斜視図である。図５は、図３に示した本発明の一実施形態による液晶テレビ用スタンドの内部構造を示した部分拡大図である。図６は、図５に示した本発明の一実施形態による液晶テレビ用スタンドの２００−２００線に沿った部分断面図である。図７は、本発明の一実施形態による液晶テレビ用スタンドの背面図である。図８は、図３に示した本発明の一実施形態による液晶テレビ用スタンドの保持部材とスタンド部材とを示した斜視図である。図９は、図８に示した保持部材とスタンド部材とを裏側から見た斜視図である。図１０は、図８に示した保持部材の部分拡大図である。図１１は、本発明の一実施形態による液晶テレビ用スタンドを備えた液晶テレビを載置面に載置した状態を示した側面図である。
【００２２】
図１〜図１１を参照して、本実施形態による液晶テレビ用スタンドの構造について説明する。本実施形態による液晶テレビ用スタンド１は、図１および図２に示すように、ベース部材１０と保持部材２０とパイプ状のスタンド部材３０とを備えている。
【００２３】
ベース部材１０は、図３および図４に示すように、取り付け穴部１０ａと、凹部１０ｂと、支点１０ｃと、保持部材ストッパ部１０ｄと、調節穴部１０ｅとを含んでいる。このベース部材１０は、図１および図２に示すように、ベース部材１０に設けられた４つの取り付け穴部１０ａを介して、液晶テレビ５０の背面に対してねじ（図示せず）により取り付けられている。
【００２４】
また、保持部材２０は、ベース部材１０の支点１０ｃの回りに回動可能に取り付けられている。この保持部材２０は、図４に示すように、下部カバー２１と、上部カバー２２と、スライダ２３と、スライダカバー２４と、板バネ２５と、押圧力調節部材４０とを含んでいる。なお、「下部カバー」は、本発明の「スライダ受け部材」の一例である。下部カバー２１は、図４および図８〜図１０に示すように、凹部２１ａと、逃げ穴部２１ｂと、切り欠き部２１ｃと、フック部２１ｄと、第１ストッパ部２１ｅと、第２ストッパ部２１ｆと、凹部側面２１ｇと、軸受部２１ｈと、調節穴部２１ｉとを有している。また、図４および図１０に示すように、保持部材２０の上部カバー２２は、ストッパ部受け面２２ａと軸受部２２ｂと、ボス部材２２ｃとを有する。また、下部カバー２１の軸受部２１ｈと上部カバー２２の軸受部２２ｂとは、ベース部材１０に形成された支点１０ｃを挟み込むように取り付けられる。これにより、下部カバー２１および上部カバー２２を含む保持部材２０は、ベース部材１０の支点１０ｃの回りに対して回動可能になる。
【００２５】
また、ベース部材１０に対して保持部材２０を回動させた場合に、図１０に示すように、上部カバー２２のストッパ部受け面２２ａと、ベース部材１０の保持部材ストッパ部１０ｄとが所定の開き角度で当接するように構成されている。
【００２６】
また、スタンド部材３０は、図１および図２に示すように、載置面に対して水平に延びるとともに載置面に当接する支持部３０ａと、載置面に対して直交する方向に延びる２つの先端部３０ｂとを含んでいる。また、スタンド部材３０は、図１、図２および図１１に示すように、保持部材２０に対して伸縮可能に構成されている。これにより、図２に示すように、保持部材２０をベース部材１０に対して所定の開き角度になるように回動させた後、液晶テレビ用スタンド１のスタンド部材３０を保持部材２０に対して伸縮させることによって、液晶テレビ５０の傾き角度の調節が可能となる。
【００２７】
ここで、本実施形態では、スライダ２３は、図４および図５に示すように、矩形状に形成され、上端面２３ａと、下端面２３ｂと、２つの実質的に平坦な側面部２３ｃとを有する。スライダ２３は、保持部材２０の下部カバー２１の凹部２１ａに上下方向に移動可能に嵌め込まれる。スライダ２３の一方の側面部２３ｃは、下部カバー２１の凹部２１ａの凹部側面２１ｇと当接する。また、スライダ２３に、スタンド部材３０の２つの先端部３０ｂがスライダ２３の側面部２３ｃに平行に嵌め込まれた状態で、スライダカバー２４がスライダ２３に取り付けられている。また、図５に示すように、スライダ２３に取り付けられたスタンド部材３０の２つの先端部３０ｂは、下部カバー２１に設けられた逃げ穴部２１ｂに移動可能に嵌め込まれている。
【００２８】
また、凸状の板バネ２５は、図５に示すように、スライダ２３の一方の側面部２３ｃに当接するように配置されている。この凸状の板バネ２５の両端部は、下部カバー２１のフック部２１ｄに嵌め込まれている。また、凸状の板バネ２５の先端部は、押圧力調節部材４０によって板バネ２５の裏面から押圧されている。
【００２９】
また、本実施形態では、押圧力調節部材４０は、図５および図６に示すように、真鍮により形成された押圧部材４１とねじ部材４２とを含んでいる。また、押圧部材４１は、テーパ形状部４１ａと穴部４１ｂとを有する。穴部４１ｂには、ねじ部材４２のねじ部分が圧入などにより固定的に挿入されることによって、押圧部材４１はねじ部材４２と一体的に上下移動するように構成されている。また、ねじ部材４２のねじ部の先端部は、上部カバー２２に一体的に設けられたボス部材２２ｃの内部に形成された雌ねじ部に係合している。そして、押圧部材４１のテーパ形状部４１ａが凸状の板バネ２５に裏面から当接するとともに、所定の押圧力で凸状の板バネ２５の裏面を押圧するように配置されている。
【００３０】
また、ベース部材１０および保持部材２０の下部カバー２１には、それぞれ、図６および図７に示すように、押圧力調節部材４０のねじ部材４２を外部から調節可能にするための調節穴部２１ｉおよび調節穴部１０ｅが設けられている。
【００３１】
また、本実施形態による液晶テレビ用スタンド１の傾き角度を調節する際には、まず、図２に示すように、ベース部材１０に対して、保持部材２０を開く方向に回動させる。これにより、図１０に示すように、保持部材２０の上部カバー２２のストッパ部受け面２２ａと、ベース部材１０の保持部材ストッパ部１０ｄとが所定の開き角度で当接するので、保持部材２０は所定の開き角度で固定される。この後、スタンド部材３０を伸縮させることによって、液晶テレビ５０の傾き角度を任意の角度に調節する。なお、液晶テレビ５０の傾き角度を調節する際には、図１１に示すように、液晶テレビ５０の載置位置Ａと、液晶テレビ用スタンド１のスタンド部材３０の支持部３０ａの載置位置Ｂとの距離は一定に保たれる。
【００３２】
図５に示した状態では、スライダ２３の上端面２３ａと下端面２３ｂとは、下部カバー２１の凹部２１ａの第１ストッパ部２１ｅおよび第２ストッパ部２１ｆには当接していない。この場合、下部カバー２１には、液晶テレビ５０（図２参照）の自重が加わっているので、下部カバー２１をスライダ２３に対して下方に相対移動させようとする力が働く。このため、スライダ２３を下部カバー２１に対して上方向に移動させようとする力が働く。そして、本実施形態では、このスライダ２３を上方向に移動させようとする力よりも、スライダ２３の側面部２３ｃに当接している凸状の板バネ２５の押圧力による移動抑制力の方が大きい。すなわち、この状態では、押圧力調節部材４０を構成する押圧部材４１の凸状の板バネ２５に対する抗力が、凸状の板バネ２５のスライダ２３の側面部２３ｃに対する押圧力として働く。このため、スライダ２３が液晶テレビ５０の自重により移動するのが抑制されている。
【００３３】
そして、液晶テレビ５０の傾き角度の調節をする際に、スタンド部材３０を保持部材２０に対して伸縮させる時は、凸状の板バネ２５による移動抑制力以上の力をスタンド部材３０に加える。これにより、スタンド部材３０の２つの先端部３０ｂと連結したスライダ２３は、スタンド部材３０の伸縮方向と実質的に平行な方向に移動する。
【００３４】
また、スタンド部材３０を保持部材２０に対して上方向に最大限に縮めた場合には、スタンド部材３０の２つの先端部３０ｂが取り付けられたスライダ２３の上端面２３ａは、下部カバー２１の第１ストッパ部２１ｅと当接する。その一方、スタンド部材３０を保持部材２０に対して下方向に最大限に伸ばした場合には、スタンド部材３０の２つの先端部３０ｂと連結したスライダ２３の下端面２３ｂは、下部カバー２１の第２ストッパ部２１ｆと当接する。
【００３５】
ここで、図６を参照して、本実施形態による液晶テレビ用スタンド１のスタンド部材３０に対する移動抑制力（押圧力）の調節方法について説明する。本実施形態では、図６に示すように、調節穴部２１ｉおよび１０ｅ（図４参照）を介して、ねじ部材４２のねじ締め量を調節することにより、スタンド部材３０に対する押圧力を調節する。すなわち、押圧力調節部材４０のねじ部材４２を締めた場合には、テーパ形状部４１ａの幅の大きい部分が凸状の板バネ２５の裏面に当接するとともに、ねじ部材４２を緩めた場合には、テーパ形状部４１ａの幅の小さい部分が凸状の板バネ２５に当接する。これにより、ねじ部材４２を締めた場合には、押圧力調節部材４０の押圧部材４１の凸状の板バネ２５に対する抗力が大きくなり、ねじ部材４２を緩めた場合には、押圧力調節部材４０の押圧部材４１の凸状の板バネ２５に対する抗力が小さくなる。その結果、ねじ部材４２を締めた場合には、凸状の板バネ２５のスライダ２３の側面部２３ｃに対する押圧力が大きくなり、ねじ部材４２を緩めた場合には、凸状の板バネ２５のスライダ２３の側面部２３ｃに対する押圧力が小さくなる。これにより、自重の異なる複数のサイズの液晶テレビ５０に対して共通の液晶テレビ用スタンド１を用いる場合に、各サイズの自重に応じて、押圧力を調節することが可能になる。
【００３６】
本実施形態では、上記のように、スライダ２３の側面に対する凸状の板バネ２５の押圧力を調節するための押圧力調節部材４０を設けることによって、液晶テレビ５０のサイズが異なることに起因してスライダ２３に連結されたスタンド部材３０に加わる荷重が変化した場合にも、押圧力調節部材４０により液晶テレビ５０の自重によるスタンド部材３０の移動を抑制するのに必要な押圧力に適宜調節することができる。その結果、液晶テレビ用スタンド１を複数のサイズの液晶テレビ５０に共通して使用することができる。
【００３７】
また、本実施形態では、下部カバー２１およびベース部材１０に、押圧力調節部材４０のねじ部材４２を外部から調節可能にするための調節穴部２１ｉ（１０ｅ）を設けることによって、スライダ２３の側面に対する凸状の板バネ２５の押圧力の調節は、調節穴部２１ｉ（１０ｅ）を介して外部からねじ部材４２の締め付け量を調節することにより行うことができるので、液晶テレビ用スタンド１を分解することなく押圧力の調節を行うことができる。これにより、液晶テレビ用スタンド１を複数のサイズの液晶テレビ５０に使用する際の押圧力の調節作業を簡略化することができる。
【００３８】
また、本実施形態では、下部カバー２１に、スライダ２３の側面に当接するように配置された凸状の板バネ２５と、スライダ２３の側面に対して凸状の板バネ２５を押圧する押圧力調節部材４０とを設けることによって、液晶テレビ５０の自重によりスライダ２３が移動するのを抑制することができる。これにより、スライダ２３に取り付けられたスタンド部材３０が液晶テレビ５０の自重により移動するのを抑制することができるとともに、スタンド部材３０の角度調節をする際には、所定の移動力以上の力を加えることにより、凸状の板バネ２５のスライダ２３の側面部２３ｃに対する押圧力に抗してスライダ２３を移動させることができる。これにより、スライダ２３の側面部２３ｃが凸状の板バネ２５に当接している範囲内でスタンド部材３０の保持部材２０に対する伸縮長さを調節することができるので、液晶テレビ５０の傾きを所定の角度範囲で調節することができる。また、スタンド部材３０を伸縮させることにより、液晶テレビ５０の傾き角度の調節を行うことができるので、載置面に対する液晶テレビ５０の位置およびスタンド部材３０の支持部３０ａの位置を動かすことなく、液晶テレビ５０の傾き角度を調節することができる。これにより、液晶テレビ５０の傾き角度の調節をスタンド部材３０の液晶テレビ５０に対する開き角度を調節することにより行う場合に比べて、液晶テレビ５０の載置位置とスタンド部材３０の載置位置との間の距離を小さくすることができるので、その分、設置スペースを少なくすることができる。
【００３９】
また、本実施形態では、スライダ２３の側面に当接する当接部材を凸状の板バネ２５により形成することによって、板バネ２５の表面は滑らかであるので、スライダ２３の移動を円滑に行うことができる。
【００４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
たとえば、上記実施形態では、押圧力調節部材の押圧部材として、側面がテーパ形状のものを用いたが、本発明はこれに限らず、押圧部材の側面を樽形状などのテーパ形状以外の形状にしてもよい。
【００４２】
また、上記実施形態では、スライダを矩形状に形成したが、本発明はこれに限らず、スライダを、円筒形状などの他の形状に形成してもよい。
【００４３】
また、上記実施形態では、押圧力調節部材の押圧部材を真鍮により形成したが、本発明はこれに限らず、押圧部材をゴムにより形成してもよい。
【図面の簡単な説明】
【図１】  本発明の一実施形態による液晶テレビ用スタンドを備えた液晶テレビを示した背面図である。
【図２】  図１に示した液晶テレビを左側から見た側面図である。
【図３】  本発明の一実施形態による液晶テレビ用スタンドを示した斜視図である。
【図４】  図３に示した本発明の一実施形態による液晶テレビ用スタンドの分解斜視図である。
【図５】  図３に示した本発明の一実施形態による液晶テレビ用スタンドの内部構造を示した部分拡大図である。
【図６】  図５に示した本発明の一実施形態による液晶テレビ用スタンドの２００−２００線に沿った部分断面図である。
【図７】  本発明の一実施形態による液晶テレビ用スタンドの背面図である。
【図８】  図３に示した本発明の一実施形態による液晶テレビ用スタンドの保持部材とスタンド部材とを示した斜視図である。
【図９】  図８に示した保持部材とスタンド部材とを裏側から見た斜視図である。
【図１０】  図８に示した保持部材の部分拡大図である。
【図１１】  本発明の一実施形態による液晶テレビ用スタンドを備えた液晶テレビを載置面に載置した状態を示した側面図である。
【図１２】  従来の角度調節機構を備えたスタンドを、液晶テレビ用スタンドとして用いた場合の概略側面図である。
【図１３】  スタンド部材の伸縮機構を備えた液晶テレビ用スタンドの一例を示した概略側面図である。
【符号の説明】
１  液晶テレビ用スタンド
１０  ベース部材
２０  保持部材
２１  下部カバー
２１ｉ  調節穴部
２２ｃ  ボス部材
２３  スライダ
２３ｃ  側面部
２５  板バネ
４０  押圧力調節部材
４１  押圧部材
４１ａ  テーパ形状部
４１ｂ  穴部
４２  ねじ部材
３０  スタンド部材
３０ａ  支持部
３０ｂ  先端部
５０  液晶テレビ
【図１】
0003702886.tif 000002
【図２】
0003702886.tif 000003
【図３】
0003702886.tif 000004
【図４】
0003702886.tif 000005
【図５】
0003702886.tif 000006
【図６】
0003702886.tif 000007
【図７】
0003702886.tif 000008
【図８】
0003702886.tif 000009
【図９】
0003702886.tif 000010
【図１０】
0003702886.tif 000011
【図１１】
0003702886.tif 000012
【図１２】
0003702886.tif 000013
【図１３】
0003702886.tif 000014